(57)【特許請求の範囲】
【請求項１】
第１の平網を用いて構成された背景パターンと、
複写された場合に前記背景パターンより鮮明に複写されるように前記第１の平網より狭い間隔の第２の平網を用いて構成された警告パターンと、
複写できない大きさの網点を用いて、前記背景パターンに組み合わせて印刷される同調パターンと
を有し、
１インチ平方の領域における、前記警告パターンの前記第２の平網の網点の総和面積と、前記背景パターンの前記第１の平網の網点および前記同調パターンを構成する前記網点の総和面積とがほぼ等しい
印刷物。
【発明の詳細な説明】
【発明の属する技術分野】
本発明は、複写機による悪意のコピーを実質的に無効ならしめる複写牽制パターンを有する印刷物に関する。
【従来の技術】
カラー複写機などの複写機の分解能（解像度または解像力）、色再現性などの性能の向上につれて、種々の印刷物の精巧な複写が可能となる。その反面、小切手、株券などの有価証券、あるいは、権利書などの重要文書などの印刷物の悪意の（不都合な）複写による悪用が問題になる。
【０００１】
そのような悪用を防止するため印刷物の複製を困難にする試みがすでに種々提案されている。
たとえば、特開昭５３−１４２２３７号公報は、狭いピッチ、たとえば、１３３線／インチの平網の背景パターンと、広いピッチ、たとえば、６５線／インチの平網の警告パターンとで構成される複写牽制パターンにカムフラージュを組み合わせて警告パターンの目視を困難にする印刷物を開示する。
この印刷物を肉眼で見ると、カムフラージュパターンが強調されて視認され、複写牽制機能パターンが印刷された印刷物であることを判別しにくくなっている。
一方、この印刷物をカラー複写機で複写すると、ピッチの狭い背景パターンおよびカムフラージュを構成する網点は複写されず、広いピッチの警告パターンを構成する網点は複写されてその警告パターンが現出し、カラー複写機によって複製された文書であることが視認できる。
上記公報が開示する印刷物のカムフラージュパターンは、印刷物に対して、実線パターン上張紙として、上記警告パターンおよび背景パターンに重ね合わせて形成されている。
また、カムフラージュパターンとしては、パケット織および渦巻き模様などが例示されている。
【０００２】
【発明が解決しようとする課題】
しかし、上述した特開昭５３−１４２２３７号公報に例示された印刷物では、複写牽制パターン自体は一見して目視可能であるため、複写牽制パターンとカムフラージュパターンとの組み合わせによっては複写牽制パターンが印刷されていることが視認される場合がある。
また、上記公報に例示されたカムフラージュパターンの他にも、カムフラージュ機能をより効果的に発揮することができるカムフラージュパターンを用いることができれば印刷物の複写牽制機能をより増大されることができる。
また、上記公報が開示する印刷物では、カムフラージュパターンは上張紙として警告パターンおよび背景パターンに重ね合わせて形成されたため、この重ね合わせによって印刷物にモアレが生じ、複写牽制機能の効果が低減する場合がある。
【０００３】
さらには、複写機の性能の向上は、凄まじく、その解像度は非常に向上しており、その反面、複写機の分解能レベルは様々であるため、種々の分解能レベルの複写機の複写された場合にも、効果的に複写牽制機能を発揮することができる印刷物が求められる。
【０００４】
本発明は、上述した問題を解決するためのものであり、目視によっては複写牽制パターンを殆ど判別することができない印刷物を提供することを目的とする。
また、本発明は、種々の性能の複写機によっても、あるいは、複写機の性能の向上に対しても、有効に複写牽制機能が機能する複写牽制パターンを有する印刷物を提供することを目的としている。
【０００５】
【課題を解決するための手段】
上述した従来技術の問題を解決し、上述した目的を達成するために、本発明の印刷物は、第１の平網を用いて構成された背景パターンと、複写された場合に前記背景パターンより鮮明に複写されるように前記第１の平網より狭い間隔の第２の平網を用いて構成された警告パターンと、複写できない大きさの網点を用いて、前記背景パターンに組み合わせて印刷される同調パターンとを有し、１インチ平方の領域における、前記警告パターンの前記第２の平網の網点の総和面積と、前記背景パターンの前記第１の平網の網点および前記同調パターンを構成する前記網点の総和面積とがほぼ等しい。
【０００６】
また、本発明の印刷物に印刷された複写牽制パターンはパターンを構成する網点または万線の大きさまたは太さと、ピッチとがパターンごとに光学的な複写による解像レベルが段階的に変化している。そのため、このような印刷物の複写機による複製物には、複写機の解像レベルに応じて異なるパターンが現出し、種々の解像レベルを有する複写機に対しても複写牽制を効果的に発揮することができる。
【０００７】
さらに、本発明の印刷物は、前記複写牽制パターンと前記カムフラージュパターンとを同一の版を用いて同時に印刷することで、前記複写牽制パターンと前記カムフラージュパターンとの間に色または濃度の差異が生じることを効果的に防止することができ、印刷物の複写牽制機能を増大させることができる。
【０００８】
【発明の実施の形態】
第１の実施例について説明する。
本実施例では、複写牽制パターンとしての警告パターンおよび背景パターンと、不規則な木目文様のカムフラージュパターンとが印刷された印刷物について説明する。
図１は本実施例の印刷物を説明するための図である。図１（Ａ）は印刷物に印刷されたカムフラージュパターンを説明するための図であり、図１（Ｂ）は印刷物に印刷された警告パターンおよび背景パターンを説明するための図である。
本実施例の印刷物２には、図１（Ｂ）に示すように、複製牽制用の警告パターン６および背景パターン８が印刷れている。
【０００９】
警告パターン６は、たとえば、ピッチが１３３線／インチ（または、ＤＰＩ：ｄｏｔ  ｐｅｒ  ｉｎｃｈ）  の平網を用いて黒のインクで印刷されている。
背景パターン８は、たとえば、ピッチが６５線／インチで、前記警告パターン６で用いられる平網より寸法の大きな平網を用いて黒のインクで印刷されている。
警告パターン６および背景パターン８に用いられる平網の寸法およびピッチは、警告パターン６と背景パターン８との濃度が目視にて同調して視認されるように選択されている。その結果、複写牽制パターンの形成された印刷物であることを目視にて視認することがやや困難になっている。
一方、印刷物２を複写機で複写すると、警告パターン６の平網に比べて寸法の大きな平網が用いられる背景パターン８が警告パターン６に比べて明瞭に現出し、複写機で複写した複製物であることを容易に判別することができる。
【００１０】
印刷物２には、上記警告パターン６および背景パターン８に加えて、図１（Ａ）に示すような不規則な黒色の木目文様で構成されるカムフラージュパターン４が形成されている。そのため、印刷物２を目視すると、カムフラージュパターン４が強調して視認され、警告パターン６と背景パターン８との差異を容易には判別することができない。その結果、印刷物２が複写牽制機能を有する印刷物であることを容易には判断できず、印刷物２の複写形成機能が増大する。
不規則な木目文様のカムフラージュパターン４は、肉眼で特に強調して視認され、警告パターン６と背景パターン８との差異が視認されることを防止するためには非常に効果的なパターンであることが認識されている。
【００１１】
図２は、複写機による印刷物２の複製物２ａを説明するための図である。
図２に示すように、印刷物２の複製物には、１３３線／インチの平網で構成される警告パターン６が、６５線／インチの平網で構成される背景パターン８に比べて鮮明に複写され、警告パターン６が強調して視認される。その結果、複製物２ａが複製物であることを一目で判断することができる。
【００１２】
印刷物２を印刷するときに、警告パターン６および背景パターン８と、カムフラージュパターン４とを異なる版を用いて印刷してもよいが、同一の版を用いて印刷すれば、複製部６ａに現出する警告パターン６とカムフラージュパターン４とにモアレが生じることを防止でき、警告パターン６ａがより明瞭に現出するため、印刷物２の複製形成機能がさらに増大する。
【００１３】
印刷物２に印刷されるカムフラージュパターン４としては、上述した木目文様のパターンの他に、たとえば、図３に示すような、中央から放射状に拡散する波線文様や規則的な多角形のパターンなど、通常の状態において、カムフラージュパターンが強調されて視認されるようなパターンが用いられる。また、後述するような白抜き文様でもよい。
【００１４】
第２実施例について説明する。
本実施例の印刷物では、不規則な白抜きの木目文様のカムフラージュパターンが、複写牽制パターンとしてのグラデーションを有する警告パターンおよび背景パターンと組み合わせて印刷されている。この印刷物を目視したとき、不規則な白抜きの木目文様が強調されて警告パターンと背景パターンとの境目をぼかしてしまうため、その判別がつきにくくなり、その結果、印刷物に印刷された複写牽制パターンは殆ど視認がされない。
また、この印刷物の複製物には、複写を行った複写機の分解能に応じて、印刷物に印刷された背景パターンのうち複製物に現れない部分が生じ、この部分に印刷された警告パターンが鮮明に視認される。その結果、種々の分解能の複写機などに対して、有効に複写形成機能を発揮する。
【００１５】
図４は本実施例の印刷物を説明するための図である。図４（Ａ）は本実施例の印刷物に印刷された背景パターンおよびカムフラージュパターンを説明するための図であり、図４（Ｂ）は本実施例の印刷物に印刷された警告パターンおよびカムフラージュパターンを説明するための図である。
図４（Ａ）に示すように、印刷物１２の背景パターン１８は、中心線Ｃ−Ｃの部分の低濃度部分１８１から上端部の高濃度部分１８３まで、同一の縦方向および横方向のピッチＰ４１、たとえば、線数１５０線／インチで薄い青色の図５に示す網点４０１〜４０９を用いて形成されている。
図４（Ｃ）に示すように、線Ｙ−Ｙの両側に沿って、中心線Ｃ−Ｃ位置から上端部および下端部に向けて網点４０１〜４０９の面積は大きくなっている。
このように、網点の大きさを上端物および下端部に向かって傾斜状にまたは段階的に変化させたことにより、目視では、中心部１８１は薄い青色に見え、中心線Ｃ−Ｃから上端部および下端部に向かうにつれて、背景パターン１８の濃度（階調）が高くなり濃い青色に見える。
【００１６】
網点４０１〜４０９の面積の大きさは、現在の最新の高性能のカラー複写機の分解レベルＬ１では識別できない面積の網点４０１〜４０３を含んでいる。
さらに好適には、最低のカラー複写機の分解能レベルＬ３で充分識別できる面の網点４０７〜４０９を含んでいる。
分解能レベルＬ２は、最高の分解能レベルＬ１と、最低の分解能レベルＬ３との間の分解能レベルを示す。
このように網点４０１〜４０９の面積の大きさを選択すれば、種々の分解能レベルを有する複写機を用いて複写された場合にも、複製物であることを容易に判別することができる。
この背景パターン１８には、図４（ａ）の拡大部１８２に示すように、複写牽制パターンを部分的に残す、すなわち下地に白抜きされた不規則な複数の木目文様のカムフラージュパターン１４が形成されている。
【００１７】
図４（Ｂ）に示すように、印刷物１２には、警告パターン１６として、横文字の「ＣＯＰＹ」が、上端物から下端物に沿って、たとえば、１８個、印刷されている。
警告パターン１６は、たとえば、カラー複写機の分解能レベルＬ１では識別できない面積の網点４０１を用いて構成され、網点の横方向および縦方向のピッチは、図４（Ｄ）に示すように、警告パターン１６がその周囲の背景パターン１８の濃度と同調するように、線Ｙ−Ｙの両側に沿って中心線Ｃ−Ｃから上端部および下端部に向けて小さくなる。
その結果、警告パターン１６と、背景パターン１８とのパターンの相違を肉眼で視認することが困難になっている。
【００１８】
以下、印刷物１２の複製物について説明する。
図６は最高の分解能レベルＬ１の複写機による複製物を説明するための図である。
分解能レベルＬ１の複写機では、印刷物１２の背景パターン１８のうち、中心線Ｃ−Ｃの付近に位置する図５に示す網点４０１、４０２、および、警告パターン１６を構成する網点４０１は複写されない。
その結果、分解能レベルＬ１の複写機により印刷物１２の複写物１２ａには、印刷物１２に印刷された背景パターン１８のうち、網点４０３〜４０９で構成される背景パターン１８が複写され、網点４０１、４０２で構成される背景パターン１８および網点４０１で構成される警告パターン１６は複写されない。
その結果、複写物１２ａでは、網点４０３〜４０９で構成される背景パターン１８が複写された位置に、「ＣＯＰＹ」を示す警告パターン１６ａが下地として現れ視認される。
【００１９】
図７は分解能レベル２の複写機による複製物を説明するための図である。
分解能レベルＬ２の複写機では、印刷物１２の背景パターン１８のうち、中心線Ｃ−Ｃの付近に位置する図５に示す網点４０１〜４０４、および、警告パターン１６を構成する網点４０１は複写されない。
その結果、分解能レベルＬ１の複写機により印刷物１２の複写物１２ｂには、印刷物１２に印刷された背景パターン１８のうち、網点４０５〜４０９で構成される背景パターン１８が複写され、網点４０１〜４０４で構成される背景パターン１８および網点４０１で構成される警告パターン６は複写されない。
その結果、複写物１２ｂでは、網点４０５〜４０９で構成される背景パターン１８が複写された位置に、「ＣＯＰＹ」を示す警告パターン１６ｂが下地として現れ視認される。
【００２０】
図８は分解能レベル３の複写機による複製物を説明するための図である。
分解能レベルＬ３の複写機では、印刷物１２の背景パターン１８のうち、中心線Ｃ−Ｃの付近に位置する図５に示す網点４０１〜４０６、および、警告パターン１６を構成する網点４０１は複写されない。
その結果、分解能レベルＬ１の複写機により印刷物１２の複写物１２ｃには、印刷物１２に印刷された背景パターン１８のうち、網点４０７〜４０９で構成される背景パターン１８が複写され、網点４０１〜４０６で構成される背景パターン１８および網点４０１で構成される警告パターン６は複写されない。
その結果、複写物１２ｂでは、網点４０７〜４０９で構成される背景パターン１８が複写された位置に、「ＣＯＰＹ」を示す警告パターン１６ｃが下地として現れ視認される。
【００２１】
上述したように本実施例の印刷物１２には、警告パターンおよび背景パターンに加えて、下地に白抜きされた不規則な木目文様のカムフラージュパターン１４が無数に形成されているため、肉眼で印刷物１２を目視すると、警告パターン１６と背景パターン１８との差異は白抜きされているためぼかされ、殆ど視認することができない。つまり、通常の状態において、木目文様がカムフラージュパターンの効果を増大するから、複写牽制パターンが印刷された印刷物なのか否かを全く判別できず複写形成機能が増大する。
【００２２】
一方、本実施例の印刷物の複写機による複製物には、複写機の分解能に応じて警告パターンが現出する。その結果、本実施例の印刷物は、種々の分解能を有する複写機に対しても、有効に複写牽制機能を発揮する。
【００２３】
上述した実施例では、カムフラージュパターンとして下地に白抜きされた不規則な木目文様を例示したが、カムフラージュパターンとしては、たとえば、図９の拡大部２９に示すような、下地に白抜きされた規則的な正六角形のパターンが組み合わされたカムフラージュパターン２４を用いてもよい。
このカムフラージュパターン２４を印刷物１２に用いた場合にも、上述したカムフラージュパターン１４を用いた場合と同様に、警告パターン１６と背景パターン１８との差異は殆ど視認されず、カムフラージュパターンの効果を増大させることができる。
図９（Ｂ）はこのカムフラージュパターン自体の濃度を示す図である。
すなわち、カムフラージュパターンの濃度は、図４（Ｃ）、（Ｄ）に示す背景パターン１８および警告パターン１６の濃度と反比例しており、背景パターン１８および警告パターン１６と組み合わせることで、印刷物には、均一の濃度のパターンが形成しているかのように視認される。
カムフラージュパターンとしては、上記正六角形のパターンの他に、正方形などの多角形のパターンを用いてもよい。
【００２４】
また、上述した実施例では下地に白抜きされたカムフラージュパターンを例示したが、上述した木目文様および正六角形のパターンは第１実施例のように、たとえば、黒色などの有色パターンとして印刷物に形成してもよい。
【００２５】
第３実施例について説明する。
本実施例の印刷物は、以下に示すような階調がつけられた複写牽制パターンと、上述した第２実施例の図４（Ａ）に示した不規則な白抜きの木目文様のカムフラージュパターン１４とが組み合わせて形成されている。
図４（Ａ）に示すカムフラージュパターン１４は、以下に示す複写牽制パターンについても、隣接するパターン間における階調の差異の判別を困難とすることで、複写牽制パターンが形成された印刷物なのか否かを全く殆ど判別できなくし、印刷物の複写牽制機能を増大させる。
図１０（Ａ）に本実施例の印刷物に形成された複写牽制パターンを説明するための図を示す。
図１０（Ａ）に示すように、複写牽制パターン３０には、複写機による解像レベルがそれぞれ異なる平網で構成されたパターン３１ａ〜３１ｆが階調をつけて形成されている。
「平網」は、同一の線感覚の網線および同一の大きさの網点で構成される。
また、パターン３１ａ〜３１ｆを構成する平網は、それぞれ同調して構成され、目視では、パターン３１ａ〜３１ｆがそれぞれ異なる階調を有する平網で構成されることは目視では容易には識別されない。
【００２６】
図１０（Ｂ）に図１０（Ａ）に示す印刷物２の線Ｙ−Ｙに沿った部分のパターン３１ａ〜３１ｆを構成する平網の１インチ当たりの網線数の図、同様に図１０（Ｃ）に平網の網点の大きさの図を示す。
図１０（Ｂ）に示すように、内側のパターン３１ａから外側のパターン３１ｆに向かうにつれて１インチ当たりの網線の数は増加、つまり、網線の間隔は小さくなる。
また、図１０（Ｃ）に示すように、内側のパターン３１ａから外側のパターン３１ｆに向かうにつれて網線の大きさは小さくなる。
【００２７】
図１１にそれぞれパターン３１ａ〜３１ｆを構成する平網を図解する。
図１１に示すように、パターン３１ａ〜３１ｆは、それぞれのパターン３１ａ〜３１ｆにおいては２次元的に同一間隔に形成された網酸３３ａ〜３３ｆ、および、同一の大きさに形成された網線３２ａ〜３２ｆで構成される。
網線３３ａ〜３３ｆのピッチ（線間隔）Ｐ１００，Ｐ８５，Ｐ７０，Ｐ５５，Ｐ４０，Ｐ２５は、たとえば、それぞれ、５０線／インチ（または、ＤＰＩ：Ｄｏｔ  Ｐｅｒ  Ｉｎｃｈ）  、７５線／インチ、１００線／インチ、１２５線／インチ、１５０線／インチ、１７５線／インチである。
【００２８】
網線３２ａ〜３２ｆは、パターン３１ａ〜３１ｆがそれぞれ同調するように、全てのパターン３１ａ〜３１ｆの同一の大きさの範囲に存する網点３２ａ〜３２ｆの面積の総和がほぼ等しくなるような網線３３ａ〜３３ｆのピッチに応じた面積を有する。
たとえば、パターン３１ａの所定範囲内に存する網点３２ａの面積の総和と、パターン３１ｂのパターン３１ａと同一の大きさの所定範囲内に存する網線３２ｂの面積の総和とが等しくなる。
そのため、パターン３１ａ〜３１ｆでは、パターン３１ａからパターン３１ｆに向かうにつれて網線３３ａ〜３３ｆのピッチは短くなるため、それに応じて網点３２ａ〜３２ｆの面積も小さくなる。
【００２９】
このように、複写牽制パターン３０は、パターン３１ａ〜３１ｆが「同調」するように形成されているため、パターン３１ａ〜３１ｆを構成する平網が、それぞれ異なる網線３３ａ〜３３ｆおよび網点３２ａ〜３２ｆで構成されることは、注意深く見ると目視でも見えるが、通常、目視では識別困難になる。
さらに本実施例の印刷物では、上述した複製牽制パターンに加えて、たとえば、図４（Ａ）に示す不規則な木目文様のカムフラージュパターン１４が形成されているため、印刷物３０を目視すると、白抜きにより警告パターンを背景パターンとの差がぼかされ、印刷物３０が複写牽制機能を有する印刷物であることを殆ど判別することができない。
【００３０】
図１１に図解した網点３２ａ〜３２ｆのうち、たとえば、３２ｅ、３２ｆは、最高性能のカラー複写機の分解能レベルＬ１でも識別できない。
さらに、好適には、網点３２ａ，３２ｂは、最低カラー複写機の分解能レベルＬ３で識別できる。
また、網点３２ａ，３２ｂ，３２ｃは、標準的なカラー複写機の分解能レベルＬ２で識別できる。
【００３１】
図１２（Ａ）〜（Ｃ）にそれぞれ、分解能レベルＬ３，Ｌ２，Ｌ１のカラー複写機で、上述した印刷物２を複写したときの複写物を示す。
なお、図１２（Ａ）〜（Ｃ）における斜線で示した部分は、複写された部分を示す。
図１２（Ａ）に示すように、分解能レベルＬ３のカラー複写機で複写した場合、そのカラー複写機では、分解能レベルＬ３以下の網点３２ｃ〜３２ｆは再生できないので、パターン３１ａ、３１ｂのみがほぼベタ状に複写されるが、外側のパターン３１ｃ〜３１ｆは複写されない。
したがって、この分解能レベルＬ３の複写機で複写すると、目視でも、複写したものであることが判り、複写牽制パターンとして有効である。
【００３２】
図１２（Ｂ）に示すように、分解能レベルＬ２のカラー複写機で複写した場合、そのカラー複写機では、分解能レベルＬ２以下の網点３２ｄ〜３２ｆは再生できないので、パターン３１ａ〜３１ｃのみがほぼベタ状に複写されるが、外側のパターン３１ｄ〜３１ｆは複写されない。
したがって、この分解能レベルＬ３の複写機で複写された場合にも、目視でも、複写したものであることが判り、複写牽制パターンとして有効である。
【００３３】
図１２（Ｃ）に示すように、分解能レベルＬ１のカラー複写機で複写した場合、そのカラー複写機では、分解能レベルＬ１以下の網点３２ｅ，３２ｆは再生できないので、パターン３１ａ〜３１ｄのみがほぼベタ状に複写されるが、外側のパターン３１ｅ，３１ｆは複写されない。
パターン３１ｆとパターン３１ｄとの間隔が非常に短い場合には、外側のパターン３１ｅ、３１ｆが複写されていないことを目視で識別することは必ずしも容易ではないが、複写された部分の形状の大きさを測定器具などを用いて正確に測定したり、拡大鏡等と用いて複写されたパターン３１ａ〜３１ｄの部分の網点３２ａ〜３２ｄの形状を検分すれば、存在するはずの網点３２ａ〜３２ｄの存在しないことから、複写であることを充分に識別できる。
【００３４】
また、図１２（Ｃ）に示した、複写されたパターン３１ａ〜３１ｄは、印刷物２において、パターン３１ａ〜３１ｄの網点３２ａ〜３２ｄの大きさが網点３２ｄから網点３３ａに向かうにつれて大きくなるため、パターン３１ｄからパターン３１ａに向かうにつれて鮮明に複写される傾向がある。
そのため、印刷物２においては、パターン３１ａ〜３１ｆは同調されているため、パターン３１ａ〜３１ｆの階調が異なることは目視では識別しにくいが、パターン３１ａ〜３１ｆが複写されると階調の相違が鮮明度の相違として現れるため、複写されたことを容易に識別できる。
【００３５】
パターン３１ａ〜３１ｆは同調して構成されるため、印刷物３０に形成されたパターン３１ａ〜３１ｆが異なる階調で構成されていることは目視では識別困難であるが、このように異なる階調で構成されたパターン３１ａ〜３１ｆは、目視でも識別可能な異なるパターンとして複写され複写牽制パターンとして有効に機能する。
【００３６】
以上述べたように、上述した複写牽制パターンを有する印刷物は、種々の分解能を持つカラー複写機またはモノトーン複写機に対したも有効に複写牽制機能を発揮する。
将来的には、分解能レベルＬ１よりもさらに高い分解能のカラー複写機またはモノトーン複写機が出現する可能性がある。この場合には、図１２（Ｃ）に示した複写部分の示す傾斜がさらに外側に広がるが、複写されたパターンの鮮明度の相違から複製物の識別が容易である。また、拡大鏡などで複写部分を検査すると、上述したように、複製物であるか否かを識別することができる。
つまり、上述した複製機による解像レベルが異なるように、階調をつけて構成された複数のパターンは、カラー複写機の分解能が向上した場合にも、印刷物２のパターンを変更することなく、将来的にも複写牽制を有効ならしめる。
【００３７】
図１１に示した網点３２ａ〜３２ｆの形状は、丸に限らず、その他種々の形状にすることができる。
たとえば、図１３に示したように、網点の個々の形状を「花びら様」の形状にし、しかも、図１１に示したように、グラデーションをつける。花びら様の形状は近接した部分があるので、分解能のかなり高いカラー複写機でも、複写すると隣接する花びらがくっついて丸に近い形状に複写する傾向がある。したがって、複写されたものを拡大鏡で検査すると、複写されたものであることが識別できる。
【００３８】
第４実施例について説明する。
本実施例の印刷物は、以下に示すような階調がつけられた複製牽制パターンと、上述した第２実施例の図４（Ａ）に示した不規則な白抜きの木目文様のカムフラージュパターン１４とが組み合わせて形成されている。
図４（Ａ）に示すカムフラージュパターン１４は、以下に示す複写牽制パターンについても、隣接するパターン間における階調の差異の判別を困難することで、複写牽制パターンが形成された印刷物なのか否かを全く殆ど判別できなくし、印刷物の複写牽制機能を増大させる。
図１４に本実施例の印刷物に形成された複写牽制パターンを説明するための図を示す。
図１４に示すように、複写牽制パターン３４は、Ｔ形状のパターン３５ａの外側に順にパターン３５ａの形状に応じたパターン３５ｂ〜３５ｆを有し、パターン３５ａ〜３５ｆ１つの文字“Ｔ”を形成している。
パターン３５ａ〜３５ｆは、たとえば、図１１に示す上述した複写牽制パターン３０のパターン３１ａ〜３１ｆとそれぞれ同一の平網で構成される。
【００３９】
図１５（Ａ）〜（Ｃ）にそれぞれ、第３の実施例で述べたように分解能レベルＬ３，Ｌ２，Ｌ１のカラー複写機で、上述した複写牽制パターン３４を複写したときの複製物を示す。
図１５（Ａ）〜（Ｃ）における斜線で示した部分は、図１２と同様に複写されない部分を示す。
この場合には、印刷物３４にパターン３５ａ〜３５ｆによって形成された文字“Ｔ”について上述した第１の実施例と同様の効果を得ることができる。
図１５（Ａ）に示すように、分解能レベルＬ３のカラー複写機で複写した場合、そのカラー複写機では、分解能レベルＬ３以下の網点３２ｃ〜３２ｆは再生できないので、パターン３５ａ、３５ｂのみがほぼベタ状に複写されるが、外側のパターン３５ｃ〜３５ｆは複写されず、複写牽制パターン３４の“Ｔ”形状よりかなり小さい“Ｔ”形状に複写される。
したがって、この分解能レベルＬ３の複写機で複写すると、目視でも、複写したものであることが判り、複写牽制パターンとして有効である。
【００４０】
図１５（Ｂ）に示すように、分解能レベルＬ２のカラー複写機で複写した場合、そのカラー複写機では、分解能レベルＬ２以下の網点３２ｄ〜３２ｆは再生できないので、パターン３５ａ〜３５ｃのみがほぼベタ状に複写されるが、外側のパターン３５ｄ〜３５ｆは複写されず、複写牽制パターン３４の“Ｔ”形状よりかなり小さい“Ｔ”形状に複写される。
したがって、この分解能レベルＬ３の複写機で複写された場合にも、目視でも、複写したものであることが判り、複写牽制パターンとして有効である。
【００４１】
図１５（Ｃ）に示すように、分解能レベルＬ１のカラー複写機で複写した場合、そのカラー複写機では、分解能れべるＬ１以下の網点３２ｆは再生できないので、パターン３５ａ〜３５ｄのみがほぼベタ状に複写されるが、外側のパターン３５ｅ，４ｆは複写されず、複写牽制パターン３４の“Ｔ”形状よりやや小さい“Ｔ”形状に複写される。
そのため、パターン３１ｆとパターン３１ｄとの間隔が非常に短い場合には、外側のパターン３１ｅ、３１ｆが複写されていないことを目視で識別することは必ずしも容易ではないが、上述した第３の実施例と同様に、拡大鏡等と用いて検分した網点３２ａ〜３２ｄの形状、または、複写されたパターンの鮮明度の相違から複写されたことを識別することができる。
【００４２】
第５実施例について説明する。
本実施例の印刷物は、以下に示すような階調がつけられた複製牽制パターンと、上述した第２実施例の図４（Ａ）に示した不規則な白抜きの木目文様のカムフラージュパターン１４とが組み合わせて形成されている。
図４（Ａ）に示すカムフラージュパターン１４は、以下に示すパターンについても、隣接するパターン間における階調の差異の判別を困難することで、複写牽制パターンが形成された印刷物なのか否かを全く殆ど判別できなくし、印刷物の複写牽制機能を増大させる。
図１６（Ａ）に本実施例の印刷物に形成された複写牽制パターンの平面図を示す。
図１６（Ａ）に示すように、複写牽制パターン３６には、複写機による解像レベルがそれぞれ異なる階調を有する万線で構成されたパターン３７ａ〜３７ｆが形成されている。
それぞれのパターン３７ａ〜３７ｆを構成する「万線」は、それぞれのパターン３７ａ〜３７ｆでは、同一の線間隔で同一の太さの複数の線で構成される。
【００４３】
また、パターン３７ａ〜３７ｆを構成する万線は、それぞれ同調して構成され、目視では、パターン３７ａ〜３７ｆがそれぞれ異なる階調を有する万線で構成されることは目視では容易に識別されない。
図１６（Ｂ）に図１６（Ａ）に示す複写牽制パターン３６の線Ｃ−Ｃに沿った部分のパターン３７ａ〜３７ｆを構成する万線の１インチあたりの線数の図、同様に図１６（Ｃ）に万線の太さの図を示す。
図１６（Ｂ）に示すように、内側のパターン３７ａから外側のパターン３７ｆに向かうにつれて１インチ当たりの万線の数は増加、つまり、万線の間隔は小さくなる。
また、図１６（Ｃ）に示すように、内側のパターン３７ａから外側のパターン３７ｆに向かうにつれて万線の太さは細くなる。
【００４４】
図１７にそれぞれパターン３７ａ〜３７ｆを構成する万線を図解する。
図１７に示すように、パターン３７ａ〜３７ｆは、それぞれのパターン３７ａ〜３７ｆにおいては同一間隔、同一太さの万線３８ａ〜３８ｆで構成される。
万線３８ａ〜３８ｆのピッチ（線間隔）Ｐ１００，Ｐ８５，Ｐ７０，Ｐ５５，Ｐ４０，Ｐ２５は、たとえば、それぞれ、５０線／インチ（または、ＤＰＩ：Ｄｏｔ  Ｐｅｒ  Ｉｎｃｈ）  、７５線／インチ、１００線／インチ、１２５線／インチ、１５０線／インチ、１６５線／インチである。
【００４５】
万線３８ａ〜３８ｆは、パターン４ａ〜４ｆがそれぞれ同調するように、全てのパターン３７ａ〜３７ｆの同一の大きさの範囲に存する万点３２ａ〜３２ｆの面積の総和がほぼ等しくなるような万線３８ａ〜３８ｆのピッチに応じた太さを有する。
たとえば、パターン３７ａの所定範囲内に存する万点３８ａの面積の総和と、パターン３７ｂのパターン３７ａと同一の大きさの所定範囲内に存する万線３８ｂの面積の総和とが等しくなる。
そのため、パターン３７ａ〜３７ｆでは、パターン３７ａからパターン３７ｆに向かうにつれて万線３８ａ〜３８ｆのピッチは短くなるため、それに応じて万線３８ａ〜３８ｆの太さは小さくなる。
【００４６】
このように、複写牽制パターン３６では、パターン３７ａ〜３７ｆが「同調」するように形成されているため、パターン３７ａ〜３７ｆを構成する万線が、それぞれ異なる間隔および太さで構成されることは、注意深く見ると目視でも見えるが、通常、目視では識別困難になる。
【００４７】
図１１に図解した万点３８ａ〜３８ｆのうち、たとえば、万線３８ｅ、３８ｆは、最高性能のカラー複写機の分解能レベルＬ１でも識別できない。
さらに、好適には、万線３８ａ，３８ｂは、最低カラー複写機の分解能レベルＬ３で識別できる。
また、万線３８ａ，３８ｂ，３８ｃは、標準的なカラー複写機の分解能レベルＬ２で識別できる。
【００４８】
複写牽制パターン３６についても種々の分解能のカラー複写機で複写すると、図１２（Ａ）〜（Ｃ）と同様の複写となる。
したがって、このような万線を用いたパターンも、平網を用いた場合と同様に、有効に複写牽制機能を発揮する。
【００４９】
印刷物に形成される複写牽制パターンは、上述したものに限定されず、その他の文字、記号、図形等のパターンを用いてもよい。
【００５０】
また、複写牽制パターンに含まれる複数のパターンを構成する平網または万線の色を、パターン同士で異なる色にしてもよい。
【００５１】
また、複写牽制パターンを構成する平網または万線の階調が順次、段階的に変化する場合について例示したが、平網または万線の階調の変化は段階的なものでなくてもよい。
【００５２】
さらに、光学的な複写としてカラー複写機による複写の場合を例示したが、モノトーン印刷された本発明の複写牽制パターンについて、モノトーンの複写機を用いて複写した場合にも、上記同様、本発明の複写牽制パターンは有効に複写牽制機能を発揮する。
【００５３】
以上、本発明の複写牽制パターンを有する印刷物として、複数のパターン同士が同調した場合について例示したが、複数のパターン同士は必ずしも同調している必要はない。同調していると、目視で識別しにくいという利点はあるが、複写牽制機能という点からは、同調している必要はなく、複数のパターンにそれぞれ階調をつけて複写による分解能レベルが異なる平網または万線が形成されてあればよい。
【００５４】
第６実施例について説明する。
本実施例の印刷物は、以下に示すような階調がつけられた複製牽制パターンと、上述した第２実施例の図４（Ａ）に示した不規則な白抜きの木目文様のカムフラージュパターン１４とが組み合わせて形成されている。
図４（Ａ）に示すカムフラージュパターン１４は、以下に示すパターンについても、隣接するパターン間における階調の差異の判別を困難することで、複写牽制パターンが形成された印刷物なのか否かを全く殆ど判別できなくし、印刷物の複写牽制機能を増大させる。
【００５５】
図１８（Ａ）に本発明の複写牽制パターンを有する印刷物の好適実施例の一例としての網点を用いてパターンを形成した印刷物７２の平面図を示す。
複写牽制パターン７２は、背景７４と、矩形の図形７６とを有する。背景７４と矩形図形７６とは「毛抜き合わせ」がさている。
図１９に背景７４と矩形図形７６の隣接する部分、つまり、線Ｙ−Ｙの両側に沿った線の部分の背景７４を構成する部分、つまり、上端物の高濃度部分４３、内部の中間濃度部分４２、および、中央部の低濃度部分４１と、矩形図形７６を構成する部分、つまり、中央部の低濃度部分６１、および、下端部の高濃度部分６２の網点を詳細に図解する。
【００５６】
図１９に図解したように、背景７４は中心線Ｃ−Ｃの部分の低濃度部分４１から上端部の高濃度部分４３まで、同じ縦方向網目ピッチＰ４１、たとえば、線数１５０線／インチ（または、ＤＰＩ：Ｄｏｔ  Ｐｅｒ  Ｉｎｃｈ）  で網点４０１〜４０９で形成されている。横方向の網目ピッチＰ４２も、この例では、縦方向網目ピッチＰ４１と同じ線数１５０線／インチである。これらの網点４０１〜４０９の印刷インキの色調は桃色で印刷した。
矩形図形７６は中心線Ｃ−Ｃの部分の低濃度部分６１から下端部の高濃度部分６２まで、縦方向網目ピッチＰ６１、たとえば、線数６５線／インチで網点６０１〜６０３で形成されている。横方向の網目ピッチＰ６２は、この例では、縦方向網目ピッチＰ６１と同じ、線数６５線／インチである。これらの網点６０１〜６０３の印刷インキの色調は、背景の色調と同じ桃色で印刷した。
つまり、背景７４を構成する網点４０１〜４０９の網目ピッチＰ４１および網目ピッチＰ４２は狭く、矩形図形７６を構成する網点６０１〜６０３の網目ピッチＰ６１および網目ピッチＰ６２は広く、背景７４と矩形図形７６とは異なる網目ピッチで形成されている。
【００５７】
線Ｙ−Ｙの両側に沿って、中心線Ｃ−Ｃ位置から背景７４の上端部に向けた網点４０１〜４０９の面積は大きくなっており、中心線Ｃ−Ｃ位置から矩形図形７６の下端部に向けて網点６０１〜６０３の面積は大きくなっている。
背景７４と矩形図形７６との目視で識別困難にするには、これらを「同調」させればよい。つまり、背景７４と矩形図形７６とのそれぞれのある単位領域について、そこに含まれる網点の面積の総和（面積率）が、背景７４と矩形図形７６とでほぼ同じになればよい。そのためには、網目ピッチの大きな矩形図形７６を構成する網目のそれぞれが、隣接する背景７４の網点のそれぞれの面積より大きく形成される。
この例では、背景７４が線数１５０ＤＰＩ、矩形図形７６が線数６５ＤＰＩであるから（ただし、図解の関係で、図１９は、網点ピッチＰ４１と網点ピッチＰ６１とは、１：１．５程度である）、同調させるには、矩形図形７６の網点を隣接する背景７４を構成する網点の面積の（１５０／６５）２  ≒４．６倍にする。直径としては約２倍程度、矩形図形７６の網点の直径が、隣接する背景７４を構成する網点の直径より大きい。
【００５８】
矩形図形７６の網点ピッチＰ６１を背景７４の網点ピッチＰ４１より大きくした理由は、矩形図形７６を構成する網点の面積の大きさが背景７４を構成する網点の面積よりも大きいから、複写すると、矩形図形７６のほうが鮮明に現出する。もとの印刷物においては、矩形図形７６が背景７４に同調して、つまり、背景７４に溶け込んで矩形図形７６が目視では識別しにくいようになっているが、複写すると、鮮明に現出するから、複写物があることが容易に識別できる。
たとえば、悪意の複写を試みた人が、もとの印刷物では背景７４に溶け込んで識別困難な矩形図形７６が複写をすると、現出するので、その悪用を断念するようになる。
【００５９】
上述した網点の大きさを傾斜状にまたは段階的に変化させたことにより、図１８（Ｂ）に背景７４の濃度曲線ＣＶ４、矩形図形７６の濃度曲線ＣＶ６として図示したように、背景７４と矩形図形７６との濃度は、中心線Ｃ−Ｃ位置においては、ほとんどパターンは存在しないが、中心線Ｃ−Ｃから端部に向けて、濃度（階調）が高くなるように、形成されている。その結果、目視では、端部は濃い桃色に見え、中心線Ｃ−Ｃに向かうにつれて薄い桃色に見え、中心線Ｃ−Ｃ位置は印刷物自体の色、この例では、白色として見える。
しかも、背景７４と矩形図形７６とはそれらの網点の面積率がほぼ同じに同調しているから、背景７４の中に存在する矩形図形７６は背景７４と渾然一体となって見える。つまり、拡大鏡を用いて、あるいは、注意深くみると目視でも、背景７４と矩形図形７６とは識別できるが、通常の状態では、矩形図形７６が背景７４に溶け込み、背景７４と矩形図形７６とは目視では簡単には識別困難である。
【００６０】
図１９に図解した網点４０１〜４０９、および、網点６０１〜６０３の面積の大きさは、現在の最新の高性能のカラー複写機の分解レベルＬ１では識別できない面積の網点４０１〜４０３、および、網点６０１〜６０２を含んでいる。
さらに好適には、最低のカラー複写機の分解能レベルＬ３で充分識別できる面積の網点４０７〜４０９を含んでいる。
分解能レベルＬ２は、最高の分解レベルＬ１と、最低の分解能レベルＬ３との間の分解能レベルを示す。
【００６１】
図２０（Ａ）〜（Ｃ）はそれぞれ、分解能レベルＬ３、Ｌ２、Ｌ１のカラー複写機で、上述した複写牽制パターン７２を複写したときの複写物を示す。
なお、図２０（Ａ）〜（Ｃ）における傾斜で示した部分は、複写された部分を示す。ただし、図解の関係で同じ濃度で複写で示した部分は、複写された部分を示す。ただし、図解の関係で同じ濃度で複写されているように示しており、実際は、後述するカラー複写機の分解能のレベルに応じた再現性で、元の背景７４および元の矩形図形７６の濃度に応じて複写されるものとする。
上述したように、矩形図形７６は背景７４より広いピッチの網線が構成され、背景７４と矩形図形７６とが同調しているから、換言すれば、矩形図形７６を構成する網点の面積が隣接する背景７４を構成する網点の面積よりも大きいから、以下において、複写すると、矩形図形７６のほうがより鮮明に現出することに留意されたい。
【００６２】
図２０（Ａ）に示すように、分解能レベルＬ３のカラー複写機で複写した場合、そのカラー複写機では分解能レベルＬ３以下の網点は再生できないから、その複写パターンは、背景７４の端物の高濃度部分４３のみがほぼ、ベタ状に複写されるが、背景７４の内部の中間濃度部分４２および背景７４の中央部の低濃度部分４１、ならびに、矩形の図形７６は複写されない。
したがって、この分解能レベルＬ３の複写機で複写すると、目視でも、複写したものであることが判り、複写牽制パターンとしても有効である。
【００６３】
図２０（Ｂ）に示すように、分解能レベルＬ２のカラー複写機で複写した場合、そのカラー複写機では分解能レベルＬ２以下の網点は再生できないが、図２０（Ａ）に示した例に比べると、その複写パターンは、背景７４の端物の高濃度部分４３から内部の中間濃度部分４２に向かって複写される部分は拡大する。しかしながら、依然として、背景７４の中央部の低濃度部分４１、および、矩形図形７６は複写されない。
したがって、この分解能レベルＬ２で複写されても、目視でも、複写したものであることが判り、複写牽制パターンとしても有効である。
【００６４】
図２０（Ｃ）に示すように、分解能レベルＬ１のカラー複写機で複写した場合、その複写パターンは、背景７４の内部の中間濃度部分４３および矩形図形７６の端部の高濃度部分６２まで複写される部分は拡大するが、依然として、背景７４の中央部の低濃度部分４１、および、矩形の図形７６の中央部の低濃度部分６１は複写されない。
複写されない背景７４の中央部の低濃度部分４１、および、矩形図形７６の中央部の低濃度部分６１の部分は、元の複写牽制パターン７２についても目視ではその存在の識別は必ずしも容易ではない。しかしながら、拡大鏡などを用いれば、矩形図形７６の端部の高濃度部分６２、および、背景７４の中央部の低濃度部分４１の網点の形状を正確に識別できる。したがって、複写された印刷物を拡大鏡などを用いて検分すれば、存在するはずの網点がないことから、複写したものであることが容易に識別できる。
【００６５】
また、図２０（Ｃ）に示した複写された部分、背景７４の内部の中間濃度部分４３と矩形図形７６の端部の高濃度部分６２とでは、これらの部分を構成する網点の個々の面積はほぼ等しいが、網目ピッチの差異により、網目ピッチの広い矩形図形７６の端部の高濃度部分６２の方が、網目ピッチの狭い背景７４の内部の中間濃度部分４２より鮮明に複写される傾向があり、複写された部分が目視でも容易に識別できる程度になる。つまり、元の複写牽制パターン７２においては、背景７４と矩形図形７６とは同調しているため、目視では識別しにくい矩形図形７６の端部の高濃度部分６２が複写により、目視でも容易に識別できるようになる。
つまり、分解能レベルの高いカラー複写機を用いても、上記本発明の複写牽制パターンは有効に複写牽制機能を発揮する。
【００６６】
以上述べたように、上述した複写牽制パターンを有する複写牽制パターン７２は、種々の分解能を持つカラー複写機またはモノトーン複写機に対しても有効に複写牽制機能を発揮する。
なお、上記例はカラー印刷物を複写するカラー複写機で複写する場合を例示したが、モノクロ複写機で複写する場合も、上記同様となる。
【００６７】
将来的には、分解能レベルＬ１よりもさらに高い分解能のカラー複写機またはモノトーン複写機が現出する可能性がある。この場合には、図２０（Ｃ）に示した複写部分を示す傾斜が中心線Ｃ−Ｃの近傍まで拡大することになる。しかしながら、上述したように、矩形図形７６内の複写部分は、背景７４の複写部分よりも顕著に複写される傾向があるから、複写物の識別が容易である。また、拡大鏡などで複写部分を検査すると、上述したように、複写されたものか否かを識別できる。つまり、上述した二種の網点ピッチを有し、面積に変化をつけた網線からなる複写牽制パターンは、カラー複写機の分解能が向上した場合にも、網点ピッチを変えることなく、将来的にも複写牽制を有効ならしめる。
【００６８】
図１９に例示した網点４０１〜４０９、および網点６０１〜６０３の形状は丸に限らず、その他の種々の形状にすることができる。
たとえば、図１３に示したように、網点の個々の形状を「花びら様」の形状にし、しかも、位置に応じて、図１９に示したように、階調をつける。花びら様の形状は接近した部分があるので、分解能のかなり高いカラー複写機でも、複写すると隣接する花びらがくっついて丸に近い形状に複写する傾向がある。したがって、複写されたものを拡大鏡で検査すると、複写されたものであることが識別できる。
【００６９】
以上の実施例は、パターンを構成する要素として網点を用いた例を示したが、本発明のパターンを構成する要素としては、網点に限らず、たとえば、「万線」を用いてもよい。
【００７０】
第７実施例について説明する。
本実施例の印刷物は、以下に示すような階調がつけられたパターンと、上述した第２実施例の図４（Ａ）に示した不規則な白抜きの木目文様のカムフラージュパターン１４とが組み合わせて形成されている。
図４（Ａ）に示すカムフラージュパターン１４は、以下に示すパターンについても、隣接するパターン間における階調の差異の判別を困難することで、複写牽制パターンが形成された印刷物なのか否かを全く殆ど判別できなくし、印刷物の複写牽制機能を増大させる。
図２１は、本実施例の印刷物に形成された複写牽制パターン８２を説明するための図である。
複写牽制パターン８２は、背景（下地）１４と、矩形図形８６とを有する。
図２２に背景８４と矩形図形８６の隣接する部分、つまり、線Ｙ−Ｙに沿った部分の背景８４を構成する部分である、端部の高濃度部分１４３、内部の中間濃度部分１４２、および、中央部の低濃度部分１４１と、矩形図形８６を構成する部分である、中央部の低濃度部分１６１、および、端部の高濃度部分１６２の万線を詳細に図解する。
【００７１】
背景８４は中心線Ｃ−Ｃの部分の低濃度部分１４１から端部の高濃度部分１４３まで、同じ網目ピッチＰ１４１、たとえば、線数１５０線／インチで複数の万線１４０１〜１４０９で形成されている。これらの万線１４０１〜１４０９の色調は全て同じ水色である。
矩形図形８６も中心線Ｃ−Ｃの部分の低濃度部分１６１から端部の高濃度部分１６２まで、同じ網目ピッチＰ１６１、たとえば、線数６５線／インチで複数の網点１６０１〜１６０３で形成されている。これらの万線１６０１〜１６０３の色は、万線１４０１〜１４０９と同じ全て水色である。
つまり、背景８４を構成する万線１４０１〜１４０９の網目ピッチＰ１４１は狭く、矩形図形８６を構成する万線１６０１〜１６０３の網目ピッチＰ１６１は広く、異なる網目ピッチで背景８４と矩形図形８６とが形成されている。
【００７２】
線Ｙ−Ｙの両側に沿って、中心線Ｃ−Ｃ位置から背景８４の端部に向けて万線１４０１〜１４０９の太さは太くなっており、同様に、中心線Ｃ−Ｃ位置から矩形図形８６の端部に向けて万線１６０１〜１６０３の太さは太くなっている。
しかも、線Ｙ−Ｙの両側に沿った同じ位置において、背景８４を構成する万線の太さと矩形図形８６を構成する万線の太さとは、ある単位領域についてそれらの面積率がほぼ等しい状態、つまり、同調するように形成されている。
【００７３】
上述した万線の構成により、図２１（Ｂ）に図示した背景８４の濃度曲線ＣＶ１４、矩形図形８６の濃度曲線ＣＶ１６から明らかなように、背景８４と矩形図形８６との濃度は、中心線Ｃ−Ｃ位置においては、ほとんどパターンは存在しないが、中心線Ｃ−Ｃから端部に向けて、濃度が高くなるように、形成されている。その結果、目視では、端部は濃い水色に見え、中心線Ｃ−Ｃに向かうにつれて薄い水色に見え、中心線Ｃ−Ｃ位置は印刷物自体の色、この例では、白色として見える。
しかも、隣接する背景８４と矩形図形８６とは同調して形成されているから、背景８４の中に存在する矩形図形８６は隠れたように見え、注意深くみると目視でも見えるが、通常、目視ではその識別が困難になる。
【００７４】
図２２に図解した万線１４０１〜１４０９、および、万線１６０１〜１６０３の太さは、現在の最新の高性能のカラー複写機の分解能レベルＬ１では識別できない太さの万線１４０１〜１４０３、および、万線１６０１〜１６０２を含んでいる。
さらに好適には、最低のカラー複写機の分解能レベルＬ３で充分識別できる太さの万線１４０７〜１４０９を含んでいる。
分解能レベルＬ２は、最高の分解レベルＬ１と、最低の分解能レベルＬ３との間の分解能レベルを示す。
【００７５】
本実施例についても、種々の分解能のカラー複写機で複写すると、図２０（Ａ）〜（Ｃ）と同様の複写となる。
したがって、このような万線を用いたパターンも、網点を用いた場合と同様に、有効に複写牽制機能を発揮する。
【００７６】
印刷物に形成される複写形成パターンは、上述したものに限らない。たとえば、矩形図形７６、１６に変えて英数字などを用いてもよい。
また、色は上述した桃色、水色などに限らず、任意の色を用いることができる。
さらに上述した例は、複写機として、カラー複写機を用いた場合を例示したが、モノトーン印刷された本発明の複写牽制パターンについて、モノトーンの複写機を用いて複写した場合にも、上記同様、本発明の複写牽制パターンは有効に複写牽制機能を発揮する。
【００７７】
第８実施例について説明する。
本実施例の印刷物には、第６実施例で説明した図１８に示すような階調を有する網点で構成される複写牽制パターンと、この複写牽制パターンが有する階調を同調させるパターンを有するカムフラージュパターンとが形成されている。
図２３は、本実施例の印刷物に形成されたカムフラージュパターン８４を説明するための図である。
カムフラージュパターン８４は、たとえば、図１９に示す最高の分解能レベルＬ１でも複写されない網点４０１で構成され、網点のピッチを調整することで、図２３（Ｂ）に示すような所定の濃度を現出させている。
【００７８】
図２３（Ｂ）に示すように、背景カムフラージュパターン８４および矩形図形カムフラージュパターン１７６の濃度は、上下端部４３では低く、上下端部４３から中心線Ｃ−Ｃに向かって高くなるように、網線４０１を用いて所定のピッチで形成されている。このとき、図１８に示す複写牽制パターンが有する濃度と同調する盲点４０１のピッチで背景カムフラージュパターン８４および矩形図形カムフラージュパターン１７６が形成され、本実施例の印刷物に形成された複写牽制用の階調を有すパターンは肉眼では殆ど認識されず、印刷物の図１８に示す一面全体が同一の濃度で視認される。その結果、印刷物を目視したときには、複写牽制パターンが形成された印刷物であることを判別することができず、複写牽制機能を効果的に発揮することができる。
本実施例では、網点を用いて構成されたパターンについて例示したが、上述した第７実施例での説明した図２１に示すような万線で構成されるパターンについても、万線で構成されるカムフラージュパターンを用いて濃度を同調させるようにしてもよい。
【００７９】
第９実施例について説明する。
本実施例では、それぞれ濃度の異なる警告パターンおよび背景パターンと、この警告パターンと背景パターンとの濃度を同調させる第２のパターンが形成された印刷物について説明する。
図２４は、本実施例の印刷物を説明するための図である。
図２４に示す印刷物９２に形成された警告パターン６および背景パターン８は、上述した第１実施例の図１（Ｂ）に示すものと同一である。
すなわち、図２４に示す警告パターン６は、たとえば、１３３線／インチ（または、ＤＰＩ：ｄｏｔ  ｐｅｒ  ｉｎｃｈ）  の平網を用いて黒のインクで印刷されている。
【００８０】
背景パターン８は、たとえば、６５線／インチの平網を用いて黒のインクで印刷されている。
本実施例の印刷物では、複写機で複写できない大きさの網点を用いて構成される第２のパターン９８が背景パターン８と組み合わせて印刷物に印刷されている。
図２４の拡大部９３に示すように、背景パターン８を構成する網点８ｐと、第２のパターン９８を構成する網点９８ｐとが規則的に組み合わさって印刷されている。
【００８１】
印刷物９２では、１インチ平方の領域における、警告パターン６を構成する網点の総和面積と、背景パターン８を構成する網点８ｐおよび第２のパターンを構成する網点９８ｐの総和面積とはほぼ等しい。
その結果、印刷物９２を目視したとき、警告パターン６が存在する部分と、背景パターン８が存在する部分とは同一の濃度を有し、警告パターン６が形成された印刷物であることを殆ど判別することができない。
一方、このような印刷物９２を複写機を用いて複写すると、網点９８ｐで構成される第２のパターンは複写できず、印刷物９２の複製物には、１３３線／インチの平網で構成される警告パターン６が、６５線／インチの平網で構成される背景パターン８に比べて鮮明に複写され、警告パターン６が視認される。その結果、複写機による複製物であることを一目で判断することができる。
【００８２】
上述した実施例では、背景パターン８に第２のパターンを組み合わす場合について説明したが、警告パターン６が背景パターン８に比べて濃度が低い場合には、警告パターン６に第２のパターンを組み合わせて形成し、警告パターン６の濃度と背景パターン８の濃度とを同調させるようにしてもよい。
【００８３】
【発明の効果】
本発明の印刷物によれば、目視ではカムフラージュパターンが特に強調され、複写牽制機能を有する印刷物であることを判別することが困難である。その結果、印刷物の複写牽制機能が効果的に発揮される。
また、本発明の印刷物によれば、種々の解像レベルを有する複写機に対しての複写牽制を効果的に発揮することができる。
さらに、本発明の印刷物では、複写牽制パターンとカムフラージュパターンとを同時に印刷すれば、複製物に現出する複製牽制パターンにモアレが生じることを有効に防止することができ、印刷物の複写牽制機能が効果的に発揮される。
【図面の簡単な説明】
【図１】第１実施例の印刷物を説明するための図であり、（Ａ）は印刷物のカムフラージュパターンを説明するための図であり、（Ｂ）は印刷物の警告パターンおよび背景パターンを説明するための図である。
【図２】第１実施例の印刷物の複写機による複製物を説明するための図である。
【図３】第１実施例の印刷物のカムフラージュパターンのその他の例を説明するための図である。
【図４】第２実施例の印刷物を説明するための図であり、（Ａ）は印刷物の背景パターンおよびカムフラージュパターンを説明するための図であり、（Ｂ）は印刷物の背景パターンおよびカムフラージュパターンを説明するための図であり、（Ｃ）は背景パターンの濃度を説明するための図であり、（Ｄ）は警告パターンの濃度を説明するための図である。
【図５】第２実施例の印刷物に用いられる網点の大きさを説明するための図である。
【図６】第２実施例の印刷物を最高レベルの分解能を有する複写機で複写した複製物を説明するための図である。
【図７】第２実施例の印刷物を中レベルの分解能を有する複写機で複写した複製物を説明するための図である。
【図８】第２実施例の印刷物を低レベルの分解能を有する複写機で複写した複製物を説明するための図である。
【図９】第２実施例の印刷物のカムフラージュパターンのその他の例を説明するための図であり、（Ａ）はカムフラージュパターンのパターンを説明するための図であり、（Ｂ）はカムフラージュパターンの濃度を説明するための図である。
【図１０】第３実施例の印刷物を説明するための図であり、（Ａ）は複数の種類のパターンの形成位置を説明するための図であり、（Ｂ）は各パターンの１インチ当たりの線数を説明するための図であり、（Ｃ）は各パターンの網点の大きさを説明するための図である。
【図１１】図１０に示す各パターンを構成する平網の種類を説明するための図である。
【図１２】図１０に示す印刷物の複製物を説明するための図であり、（Ａ）は低い解像レベルの複写機による複製物を説明するための図であり、（Ｂ）は中程度の解像レベルの複写機による複製物を説明するための図であり、（Ｃ）は最高の解像レベルを有する複写機による複製物を説明するための図である。
【図１３】図１１の平網のその他の形状を説明するための図である。
【図１４】第４実施例の印刷物を説明するための図である。
【図１５】図１４に示す印刷物の複製物の説明するための図であり、（Ａ）は低い解像レベルの複写機による複製物を説明するための図であり、（Ｂ）は中程度の解像レベルの複写機による複製物を説明するための図であり、（Ｃ）は最高の解像レベルを有する複写機による複製物を説明するための図である。
【図１６】第５実施例の印刷物を説明するための図であり、（Ａ）は複数の種類のパターンの形成位置を説明するための図であり、（Ｂ）は各パターンの１インチ当たりの線数を説明するための図であり、（Ｃ）は各パターンの万線の大きさを説明するための図である。
【図１７】図１６の印刷物を構成する万線を説明するための図である。
【図１８】第６実施例の印刷物を説明するための図であり、（Ａ）は複数の異なるパターンの位置を説明するための図であり、（Ｂ）はパターンの濃度を説明するための図である。
【図１９】図１８の印刷物を構成する網点を説明するための図である。
【図２０】図１８の印刷物の複写機による複製物の説明するための図であり、（Ａ）は低い解像レベルの複写機による複製物を説明するための図であり、（Ｂ）は中程度の解像レベルの複写機による複製物を説明するための図であり、（Ｃ）は最高の解像レベルを有する複写機による複製物を説明するための図である。
【図２１】第７実施例の印刷物を説明するための図であり、（Ａ）は複数の異なるパターンの位置を説明するための図であり、（Ｂ）はパターンの濃度を説明するための図である。
【図２２】図２１に示す印刷物を構成する万線を説明するための図である。
【図２３】第８実施例の印刷物のカムフラージュパターンを説明するための図であり、（Ａ）はカムフラージュパターンの種類の相違を説明するための図であり、（Ｂ）はカムフラージュパターンの濃度を説明するための図である。
【図２４】第９実施例の印刷物を説明するための図である。
【符号の説明】
２、１２、２２、３０、３４、３６、７２、８２・・・印刷物
６、１６・・・警告パターン
８、１８・・・背景パターン
１４、２４、８４・・・カムフラージュパターン
４０１〜４０９、３２ａ〜３２ｆ、６０１〜６０３、８ｐ、９８ｐ・・・網点
３８ａ〜３８ｆ、１４１〜１４３、１６０１〜１６０３・・・万線
９８・・・第２のパターン
【図１】
0003609511.tif 000002
【図２】
0003609511.tif 000003
【図３】
0003609511.tif 000004
【図４】
0003609511.tif 000005
【図５】
0003609511.tif 000006
【図６】
0003609511.tif 000007
【図７】
0003609511.tif 000008
【図８】
0003609511.tif 000009
【図９】
0003609511.tif 000010
【図１０】
0003609511.tif 000011
【図１１】
0003609511.tif 000012
【図１２】
0003609511.tif 000013
【図１３】
0003609511.tif 000014
【図１４】
0003609511.tif 000015
【図１５】
0003609511.tif 000016
【図１６】
0003609511.tif 000017
【図１７】
0003609511.tif 000018
【図１８】
0003609511.tif 000019
【図１９】
0003609511.tif 000020
【図２０】
0003609511.tif 000021
【図２１】
0003609511.tif 000022
【図２２】
0003609511.tif 000023
【図２３】
0003609511.tif 000024
【図２４】
0003609511.tif 000025